(57)【要約】      （修正有）【課題】通常のティッシュボックスを携帯する際に全体が嵩張ること。【解決手段】このティッシュケース１００では、長方形体の箱からなるティッシュボックスの短辺側面を切り落として除去し、箱をその短辺方向に断面が略平行四辺形になるように潰す。この状態で、ティッシュケース１００の蓋部を開いて、ティッシュボックスの長辺を下にして収納部に収納する。ティッシュボックスの下部の長辺が収納部の底に当接した状態で、ティッシュボックスの取出口が本体１の引出口２の位置と一致する。ティッシュボックスを収納したら、蓋部を閉じて面テープで固定する。これにより、ティッシュボックスが本体１に収納される。ティッシュボックスを潰した状態で収納するので、ティッシュケース１００全体をコンパクトにできる。【選択図】図１
2013116749.tif 000002
【特許請求の範囲】
【請求項１】
ティッシュボックスの長方形体の箱の短辺側面を除去して当該箱の短辺方向断面が略平行四辺形となるように潰した状態の当該箱に合わせた寸法からなる収納部を有する本体と、
前記本体のうち、前記ティッシュボックスを前記収納部に収納した際に当該ティッシュボックスのティッシュ取出口と略一致する位置に設けたティッシュ引出口と、
を備えたことを特徴とするティッシュケース。
【請求項２】
更に、潰したティッシュボックスの長辺を前記収納部の底に合わせた状態で、前記ティッシュ取出口とティッシュ引出口とが略一致するように、前記本体に前記ティッシュ引出口を設けたことを特徴とする請求項１に記載のティッシュケース。
【請求項３】
更に、前記本体に着脱可能な持ち手ベルトを設けると共に、当該持ち手ベルト装着側に傾いて開口した入り口を有するポケットを設けたことを特徴とする請求項１又は２に記載のティッシュケース。
【発明の詳細な説明】
【技術分野】
【０００１】
本発明は、ティッシュペーパーを携帯するために用いるティッシュケースに関するものである。
【背景技術】
【０００２】
従来から特許文献１に開示されているようなティッシュケースが知られている。このティッシュケースは、所謂ミニサイズのティッシュケースであって、ティッシュペーパーを収納する収納袋にティッシュペーパーの取出口を設けた構成である。このティッシュケースは、小型であり携帯に適するものである。
【０００３】
また、特許文献２には、ティッシュボックス携帯用鞄が開示されている。このティッシュボックス携帯用鞄の鞄本体は、通常のティッシュボックスを収納するボックス収納部を備え、このボックス収納部にティッシュ取り出し用のティッシュ取出口を設け、更にティッシュ取出口を覆うフラップを設けた構成である。鞄本体には、手提げ部が設けられる。ティッシュボックス携帯用鞄は、手提げ部を持って携帯され、前記ティッシュ取出口からティッシュを取り出して使用する。
【先行技術文献】
【特許文献】
【０００４】
【特許文献１】特開２００８−２５３２８３号公報
【特許文献２】特開２００４−０６５３６８号公報
【発明の概要】
【発明が解決しようとする課題】
【０００５】
上記特許文献１に記載のティッシュケースは、小型で携帯に便利であるが、持ち運べるティッシュペーパーの量が少ないため、例えば花粉症のユーザがティッシュペーパーを大量に消費するには不向きであった。また、特許文献２に記載のティッシュケースは、通常のティッシュボックスを携帯するための鞄であるが、通常のティッシュボックスを携帯する際に全体が嵩張り、持ち運びに不便があった。この発明は、係る問題点を解決するためになされたものである。
【課題を解決するための手段】
【０００６】
この発明のティッシュケースは、ティッシュボックスの長方形体の箱の短辺側面を除去して当該箱の短辺方向断面が略平行四辺形となるように潰した状態の当該箱に合わせた寸法からなる収納部を有する本体と、前記本体のうち、前記ティッシュボックスを前記収納部に収納した際に当該ティッシュボックスのティッシュ取出口と略一致する位置に設けたティッシュ引出口とを備えたことを特徴とする。
【０００７】
前記収納部にティッシュボックスを潰して収納すると、ティッシュボックスの高さが小さくなるので、全体をコンパクトにでき、携帯しやすくなる。また、ティッシュペーパーを大量に携帯できるので花粉症の季節等にも対応できる。
【０００８】
また、この発明のティッシュケースは、上記発明において、更に、潰したティッシュボックスの長辺を前記収納部の底に合わせた状態で、前記ティッシュ取出口とティッシュ引出口とが略一致するように、前記本体に前記ティッシュ引出口を設けたことを特徴とする。
【０００９】
このようにすれば、前記本体のティッシュ引出口に対してティッシュ取出口を簡単に位置決めできるので、ティッシュケースにティッシュボックスを簡単にセットできる。
【００１０】
また、この発明のティッシュケースは、上記発明において、更に、前記本体に着脱可能な持ち手ベルトを設けると共に、当該持ち手ベルト装着側に傾いて開口した入り口を有するポケットを設けたことを特徴とする。
【００１１】
持ち手ベルトの装着側に傾いた入り口を有するポケットを設けることで、本体を縦に下げても横に下げても前記開口にティッシュペーパーを入れやすい。
【図面の簡単な説明】
【００１２】
【図１】この発明の実施の形態に係るティッシュケースを示す正面図である。
【図２】図１に示したティッシュケースを示す背面図である。
【図３】図１に示したティッシュケースの平面図であり、（ａ）は表側展開図、（ｂ）は裏側展開図である。
【図４】ティッシュボックスの潰し方の説明図である。
【図５】このティッシュケースの使用方法を示す説明図である。
【図６】このティッシュケースの使用方法を示す説明図である。
【発明を実施するための形態】
【００１３】
このティッシュケース１００は、ティッシュボックス６を収納する収納部５を備えた本体１と、収納部５の開口５１に設けたフラップ状の蓋部３と、本体１の側部に設けた持ち手ベルト４とからなる。このティッシュケース１００は、柔軟性素材からなり、例えば帆布や不織布等の丈夫な布で製作しても良いし、ビニール等の合成樹脂により製作しても良い。
【００１４】
本体１の収納部５は、一般的なティッシュボックス６を潰して収納できる寸法とする。ティッシュボックス６は、図４（ａ）に示すように、長方形体の箱６１にティッシュペーパーを収納したものである。図４（ｂ）に示すように、この箱６１の短辺側面６２を除去し、図４（ｃ）に示すように、箱６１ごと前記短辺方向断面が平行四辺形になるように潰すものとする。潰したときのティッシュボックス６の具体的な寸法例は、箱６１が薄型のティッシュボックス６（横幅２４ｃｍ以上２５ｃｍ以下、縦幅１１ｃｍ以上１２ｃｍ以下、高さ５ｃｍ以上６ｃｍ以下）の場合、横幅２４ｃｍ以上２５ｃｍ以下、潰した縦幅１３ｃｍ以上１６ｃｍ以下、潰した高さ１ｃｍ以上３．５以下ｃｍ程度である。当該潰した高さは、ティッシュペーパーＰの使用量により変化する。
【００１５】
通常サイズのティッシュボックス６（横幅２４ｃｍ以上２５ｃｍ以下、縦幅１１ｃｍ以上１２ｃｍ以下、高さ９ｃｍ以上１０ｃｍ以下）の場合、横幅２４ｃｍ以上２５ｃｍ以下、潰した縦幅１３ｃｍ以上２０ｃｍ以下、潰した高さ１ｃｍ以上７ｃｍ以下程度である。現在市販されているティッシュボックス６のサイズは、上記薄型と通常型との２種類である。このようなティッシュボックス６の箱６１を、図４（ｃ）に示すように、短辺方向断面が平行四辺形になるように潰すと、薄型及び通常型のいずれでもその潰した縦幅が１４ｃｍ以上２２ｃｍ以下の範囲となる。横幅は、短辺側面６２を除去しても略同じである。潰した高さは、通常型でも最大で７ｃｍ程度である。
【００１６】
このため、上記収納部５（図３（ｂ）中一点鎖線で示す）は、横幅Ｈが２５ｃｍ以上２８ｃｍ以下、縦幅Ｖが１３ｃｍ以上２０ｃｍ以下、高さ７ｃｍ程度とするのが好ましいが、これに限定されるものではない。本体１は柔軟性素材により構成されるので、収納部５として上記箱６１を潰した状態のティッシュボックス６が収納できれば良い。
【００１７】
ティッシュボックス６の箱６１を潰しても、上面６３の面積は薄型でも通常型でも略同じであり、そのティッシュボックス６の取出口６４の位置も略同じである。このため、箱６１を短辺方向断面が平行四辺形になるように潰しても、図４（ｃ）に示すように、長辺６５から取出口６４までの寸法Ｌは同じになる。このため、薄型及び通常型のいずれのティッシュボックス６に対しても、ティッシュペーパーの引出口２を同じ位置に設けることで対応できる。具体的には、引出口２を本体１の下端から５ｃｍ以上７ｃｍ以下の範囲に設けるのが好ましい。
【００１８】
引出口２は直線状であり、その幅は、ティッシュペーパーＰの取出口６４と略同じ幅とする。ティッシュペーパーＰは引出口２の両端縁に摩擦により引っ掛かりながら取出されるようになる。
【００１９】
次に、本体１の引出口２を設けた側には、ポケット７が設けられている。好ましくは、このポケット７は持ち手ベルト４を装着する側、換言すれば図１及び図３に示したように持ち手ベルト４を短辺１ａの一方側に装着した状態における当該持ち手ベルト４側に傾いてその入り口７１が設けられる。入り口７１を傾けて設けることで上部から使用済みのティッシュペーパーＰを容易に入れることができる。また、持ち手ベルト４を短辺１ａの両側に装着しても上部から使用済みのティッシュペーパーＰを入れることができる。このポケットの内部は、防水加工しても良いし、或いは防水性の高い布地で構成してもよい。なお、図５に示すように、入り口７１の傾きを逆にしても良い。
【００２０】
蓋部３の裏側には面テープ８が設けられ、本体１に設けた面テープ８と着脱可能となる。また、蓋部３には、第二のポケット９が設けられる。ポケット９の入口９１にはファスナーが設けられている。
【００２１】
持ち手ベルト４の両端にはスナップボタン４１が設けられている。一方。本体１の短辺１ａの一方側両端にも前記スナップボタン４１に対応するスナップボタン４２が２つのベロ状の取付部４３を介して設けられている。また、前記短辺１ａの他方側には、１つのベロ状の取付部４３を介してスナップボタン４２が設けられている。持ち手ベルト４は、一定の長さのものでも良いし、長さが調節できるものでも良い。
【００２２】
次に、このティッシュケース１００の使用方法を説明する。ユーザは、長方形体の箱６１からなるティッシュボックス６の短辺側面６２を切り落として除去する（図４（ｂ）参照）。そして、ティッシュボックス６の箱６１をその短辺方向に断面が略平行四辺形になるように潰す（図４（ｃ）参照）。この状態で、ティッシュケース１００の蓋部３を開いて、ティッシュボックス６の長辺６５を下にして収納部５に収納する。ティッシュボックス６の下部の長辺６５が収納部５の底５２に略当接した状態で、ティッシュボックス６の取出口７が本体１の引出口２の位置と一致する。
【００２３】
ティッシュボックス６を収納したら、蓋部３を閉じて面テープ８で固定する。これにより、ティッシュボックス６が本体１に収納される。持ち手ベルト４は、図１に示したようにティッシュケース１００の短辺１ａの一方側の取付部４３に取り付けても良いし、図５に示すように両側の取付部４３に取り付けても良い。ユーザは持ち手ベルト４を持ってこのティッシュケース１００を携帯し、ティッシュペーパーＰを取り出す際には、引出口２から引き出す。また、使用済みのティッシュペーパーＰは、持ち手ベルト４を持った状態で上側にポケット７が開口しているので、当該ポケット７に収納する。図１に示すように一方側の短辺１ａのみに前記持ち手ベルト４を取り付けた場合でも、ポケット７の入り口７１が傾いて形成されているので、上部から使用済みティッシュペーパーＰを入れやすい。即ち、本体１を縦に下げても横に下げても入り口７１からティッシュペーパーを入れやすい。
【００２４】
以上、この発明のティッシュケース１００によれば、ティッシュボックス６を潰した状態で収納するので、ティッシュケース１００全体をコンパクトにできる。また、小型のティッシュケース１００に比べて大量のティッシュペーパーＰを携帯できるので、大量消費する花粉症の季節等に便利である。更に、ティッシュケース１００のポケット７を使用済みティッシュペーパーＰのゴミ箱として用いることができるので、外出中に大量のティッシュペーパーＰを消費しても困らない。更に、ティッシュボックス６ごと収納するのでティッシュペーパーＰが収納部５の中で散乱しない。
【００２５】
また、詰め替え用として販売されているティッシュペーパーのみを収納しても良い。この場合、上記短辺側面６２を除去した箱６１と同じ形状及び構造のティッシュ保持部材を用いるものとする（図示省略）。このようにすれば、詰め替えとして販売されているティッシュペーパーＰを本発明のティッシュケース１００に使用できる。なお、上記ティッシュ保持部材は、市販のティッシュボックス６の短辺側面を除去した箱６１を再利用しても良い。
【００２６】
更に、本発明のティッシュケース１００は、持ち手ベルト４に代えてウエストバンドを取り付けても良い（図示省略）。また、箱６１の短辺側面６２を除去するカッター等は、第二のポケット９に収納しておけばよい。
【符号の説明】
【００２７】
１００  ティッシュケース
１  本体
２  引出口
３  蓋部
４  持ち手ベルト
５  収納部
６  ティッシュボックス
７  取出口
８  ポケット
【図１】
2013116749.tif 000003
【図２】
2013116749.tif 000004
【図３】
2013116749.tif 000005
【図４】
2013116749.tif 000006
【図５】
2013116749.tif 000007
【図６】
2013116749.tif 000008